(57)【要約】      （修正有）【課題】結露水によって穴を詰まらなくすることや遺骨を直接結露水に触れなくさせる骨壺を提供する。【解決手段】非腐食性網目状筒籠４と網目円形下敷き１４を骨壺内に内接させて骨壺内底部には多数の穴を孔けて遺骨を結露水に触れなくさせる。遺骨の経年劣化を長期間防ぐことができる。【選択図】図２
0003184647.tif 000002
【実用新案登録請求の範囲】
【請求項１】
蓋と胴部を有する骨壺において非腐食性の網目状筒籠と網目円形下敷きを骨壺内に内接させて骨壺内底部には多数の穴を設けたことを特徴とする骨壺
【請求項２】
前記網目状筒籠及び網目円形下敷きと骨壺内壁及び骨壺内底部とに離間を設けたことを特徴とする請求項１の骨壺
【請求項３】
前記網目状筒籠と網目円形下敷きをステンレス製、炭素繊維強化プラスチック製、非腐食性物質チタンの合金製のうち少なくとも一つの材料とした事を特徴とする請求項１記載の骨壺
【請求項４】
前記穴を三角形としたことを特徴とする請求項１記載の骨壺
【請求項５】
前記網目円形下敷きの外周部を柔軟性のある円形細目網板として形成したことを特徴とする請求項１記載の骨壺
【請求項６】
前記胴部の外周底部に網目台付針金胴部載置台を設けたことを特徴とする請求項１記載の骨壺
【考案の詳細な説明】
【技術分野】
【０００１】本考案は、骨壺内底部に網目状の下敷きと多数の穴をもうけた骨壺に関するものである。
【背景技術】
【０００２】日本のように高温多湿な気候では結露が発生しやすく結露水が骨壺内に溜まり遺骨が水没してしまっていた。
カロート内に安置された骨壺に雨水が降り注ぐとは考えにくく、又骨壺本体の開口部には水切りと思われる縁が設けられているものもあり遺骨が水没する主な原因は結露水であると言って良い。
【先行技術文献】
【特許文献】
【０００３】
【特許文献１】実用新案出願公開番号  実開平７−２８５３７号
【０００４】
【特許文献２】実用新案登録番号  実用新案登録台３０７５５５１号
【考案の概要】
【考案が解決しようとする課題】
【０００５】先行技術の骨壺は水を抜くために骨壺底部に穴を孔けたものや遺骨片が穴をふさぐのを防ぐ為に同部に網を置いて水を抜く様にしたものがある、又骨壺は成形後、焼成の時底部に変化が起きて底部中央が持ち上げられるものがある為骨壺内底部外周にも穴を孔けて水を骨壺外へ出すようにしているものもある。
しかし、これらの考案によって骨壺内がいつも清潔に保たれるものではない。
何故ならば骨壺内面、外面では一年中と言って良い程結露が発生して先行の技術では遺骨が結露水に触れて劣化し遺骨片や粉末等が骨壺内底部に溜まり穴をふさいで遺骨が水没していた。このため遺骨を結露水に触れなくさせる事と結露水の壺外への流出を促進することが課題である。
【課題を解決するための手段】
【０００６】考案１は網目状筒籠と同質の網目円形下敷きを骨壺内壁と骨壺内底部に内接させて骨壺内底部の多数の穴より結露水を骨壺外へ流出させる。
考案２は網目状筒籠と網目円形下敷きを骨壺に内接させて骨壺内壁及び骨壺内底部とに針金骨組みと円形針金台の針金直径相当の離間を作る。
考案３は網目状筒籠と網目円形下敷きと網目台付針金胴部載置台をステンレス製及び炭素繊維強化プラスチック製又は非腐食性物質チタンの合金製とする。
考案４は骨壺内底部における水切りを良くするために水切り穴を三角形とする。
考案５は網目円形下敷きにおいて外周部は柔軟性を持たせて骨壺内に接するために細かい目の網を使用する。
考案６は骨壺より流出した結露水を骨壺外側底部より早く水切りするために網目台付針金胴部載置台を骨壺胴部の外周底部に取り付ける。
【考案の効果】
【０００７】骨壺において同考案の網目状筒籠と網目円形下敷きを骨壺内に内接させて骨壺内底部の多数の穴より結露水を骨壺外へ流出させるので遺骨が水没してしまう様なこともなく又遺骨が直接結露水に触れることも防ぐので遺骨の経年劣化を長期間防ぐことが出来る。
【図面の簡単な説明】
【０００８】
【図１】骨壺の斜視図  （１）骨壺本体
【図２】骨壺の断面図  （２）蓋  （３）胴部  （４）網目状筒籠  （５）針金骨組み及び針金直径相当の離間  （６）骨壺  内壁最低部横穴  （７）骨壺  底部内壁外周部穴（三角形）  （８）骨壺  底部中央部穴  （１−ａ）骨壺  内壁  （１−ｂ）骨壺  内底部
【図３】骨壺内底部平面図
【図４】円筒状網目籠斜視図  （９）円筒状網目籠（縦の切れ目入り）  （１０）縦の切れ目及び針金の切れ目
【図５】針金骨組み斜視図  （１１）針金骨組み  （１２）上部、下部円形針金（切れ目入り）  （１３）縦保持針金
【図６】網目状筒籠斜視図  （４）網目状筒籠
【図７】網目円形下敷き  平面図  （１４）網目円形下敷き  （１５）柔軟性円形細目網板  （１６）円形網目板  （１７）円形針金台  （１８）網目板保持円形針金
【図８】網目円形下敷き断面図
【図９】網目台付針金胴部載置台斜視図  （１９）網目台付針金胴部載置台  （２０）円形針金３段台  （２１）円形網目板
【図１０】網目台付針金胴部載置台取付図
【考案を実施するための形態】
【０００９】陶磁器製骨壺において骨壺本体１のうち蓋２と胴部３の胴部において骨壺内底部の直径よりも骨壺上部開口部の直径が小さい骨壺で網目状筒籠４と網目円形下敷き１４を切れ目１０と柔軟性円形細目網目板１５を共に拡縮させて骨壺胴部３に装入して骨壺内壁１−ａ及び骨壺内底部１−ｂに針金直径相当の離間を設けることが出来る。
【００１０】骨壺内底部１−ｂには三角形の穴７や同中央部穴８、骨壺内壁最低部横穴６を多数孔けて結露水を骨壺外へ流出させる。骨壺内底部の平面図が［図３］である。
【００１１】骨壺内壁に内接させるための網目状筒籠４は縦に切れ目１０を入れた円筒状網目籠９を針金骨組み１１の内径側に固定し形成したもので骨壺内壁１−ａに針金直径相当の離間を設けることが出来る。
【００１２】網目状円形下敷き１４は骨壺内底部１−ｂに内接して取り付けるもので中央部には網目状筒籠４使用と同じ網目サイズの円形網目板１６を使用しその外周部には柔軟性のある柔軟性円形細目網板１５を網目板保持円形針金１８で固定し同底部には円形針金台１７を固定し１枚に形成したものである。
【００１３】網目台付針金胴部載置台１９は円形針金３段台２０の中央段に円形網目板２１を固定形成したもので骨壺の胴部３の外周底部に［図１０］の様に取り付ける。
【実施例】
【００１４】網目状筒籠４と網目円形下敷き１４を骨壺開口部より切れ目１０と柔軟性円形細目網板１５を拡縮させて骨壺に装入して骨壺内側壁１−ａ及び骨壺内底部１−ｂにバネを効かせて内接、フィットさせる。【００１５】網目状筒籠４は骨壺内に内接させたときに縦の切れ目１０に隙間が生じない寸法に設定する。【００１６】網目円形下敷き１４は外周部に柔軟性のある柔軟性円形細目網板１５を使用して骨壺内底部１−ｂに内接させたとき骨壺内壁１−ａに端部を内接、フィットさせて遺骨片や粉末等の骨壺内底部への落下を防ぐ。【００１７】骨壺内底部［図３］には骨壺内壁１−ａに一辺が接するように三角形の穴７を均等に８箇所、骨壺底部中央部穴、丸穴８を一箇所孔ける。また骨壺内壁最底部に横穴６を１〜２箇所孔けて結露水を骨壺外へ流出させる。【００１８】水切りを良くする穴の形状は、液体が固体の表面となす角を接触角θと言い接触角θが鋭角の時は液体が固体を濡らすと言い鈍角の時は弾くと言う。水が流れて穴に触れるとき接触角θが鋭角になりやすい三角形の穴にすることによって水切りが良くなる。【００１９】網目状筒籠４と、網目円形下敷き１４と網目台付針金胴部載置台１９はステンレス製ＳＵＳ３０４又は３１６及び炭素繊維強化プラスチック製、又は非腐食性物質チタンの合金製等とする。【００２０】円筒状網目籠９と網目円形下敷き１４の円形網目板１６の網目サイズは＃０．３４〜０．４３Ｘ１４〜２０、網目円形下敷き１４の柔軟性円形細目網板１５は＃０．１８〜０．２５Ｘ３０〜４０を使用すると水切れ性が良く遺骨片、粉末等の落下がないので好ましい。また網目台付針金胴部載置台１９の円形網目板２１の網目サイズは＃１．１Ｘ５が好ましい。【００２１】針金骨組み１１の上部、下部円形針金（切れ目入り）１２はステンレスのバネ材を使用し針金骨組み１１の縦保持針金及び網目円形下敷き１４の円形針金台１７と網目板保持円形針金１８はともに直径２〜３ｍｍが好ましい。これは、遺骨と骨壺内壁１−ａ及び骨壺内底部１−ｂとに理想的な離間を設けられる。網目台付針金胴部載置台１９の円形針金３段台の材料は３〜４ｍｍが強度的に好ましい。【００２２】ステンレスＳＵＳ３０４及び３１６は工業製品では一般的に流通し網目製品も入手しやすく薬品等にも強く耐久性にも優れている。また炭素繊維強化プラスチックは軽くて強くしなやかでスポーツ製品等にも多く使用されていて当考案の拡縮、フィットに対応しやすい。チタン合金等は高価であるが軽く耐久性に優れていて高級な製品には取り入れやすい。【００２３】網目台付針金胴部載置台１９は円形針金３段台２０の中央段に円形網目板２１を固定、形成したのもで骨壺胴部３の外周底部に［図１０］の様に取り付けてカロート内骨壺安置台に安置し骨壺胴部と安置台の間に隙間を設けて結露水の骨壺外部への流出を促進させる。
【図１】
0003184647.tif 000003
【図２】
0003184647.tif 000004
【図３】
0003184647.tif 000005
【図４】
0003184647.tif 000006
【図５】
0003184647.tif 000007
【図６】
0003184647.tif 000008
【図７】
0003184647.tif 000009
【図８】
0003184647.tif 000010
【図９】
0003184647.tif 000011
【図１０】
0003184647.tif 000012